(57)【特許請求の範囲】
【請求項１】
その先端を連結される左右一対の天板を有し、該天板の連結位置下方には離間して基板を設け、該基板上には立てパイプを取り付け、該立てパイプには昇降可能に上パイプを嵌挿し、上パイプ間は連結フレームで連結して支柱枠を形成し、更に上記上パイプにはストッパーを設け、一方その基端部を上記支柱枠に回動可能に枢着することにより該支柱枠を軸として開閉する開閉脚枠を設け、更に上記支柱枠の上端部には第一ピンと第二ピンとを、支柱枠の上端部に対向する天板の側部には第一ピンを嵌挿するガイド孔と第二ピンを嵌挿するガイド溝を有する連結金具を設け、連結金具のガイド溝は円弧状のガイド部と水平状の停止部を有し、上記一対の天板の折り畳み位置では第二ピンが円弧状のガイド部に導かれ、停止位置では第二ピンが水平状の停止部に導かれるようにした作業台。
【請求項２】
ストッパーは上パイプには所定間隔で係止孔を形成し、立てパイプには挿通孔を設け、挿通孔の外周にはその先端に蓋部を有する筒体を設け、筒体内には蓋部に設けられた鍵穴より先端に把持部を有するロックピンを挿入し、ロックピンの外周にはガイド部材を設け、ガイド部材と上記蓋部の間には押しバネを介在させ、更に上記ロックピンの外周には突起を設け、上記鍵穴には上記突起の鍵溝を形成して構成された請求項１記載の作業台。
【発明の詳細な説明】
【技術分野】
【０００１】
この発明は、極めて簡単な操作で確実に組み立てることができる折り畳み、且つ高さ調整可能な作業台に関する。
【背景技術】
【０００２】
従来折り畳み、且つ高さ調整可能な作業台としては、特開平9-137599号公報、特開2003-41767、特開2004-116263、特開2004-190354等に開示されている。
【０００３】
一方、その先端を連結される左右一対の天板を有し、該天板の連結位置下方には対向状に基板を設け、該基板上には支柱枠の立てパイプを取り付け、該基板には立てパイプを取り付けた左右の開閉脚枠の下枠フレームの基端部を回動可能に枢着し、それぞれの立てパイプにはスライドパイプを嵌挿した構造の作業台が市販されている。
【特許文献１】、特開平9-137599号公報、特開2003-41767、特開2004-116263、特開2004-190354
【発明の開示】
【発明が解決しようとする課題】
【０００４】
上記の市販される作業台は折り畳まれた左右の天板を水平方向に開き、それぞれの立てパイプに嵌挿されたスライドパイプを適当な高さに引き上げてその先端部を天板の裏面に設けた係合部に差し込んで組み立てられている。
【０００５】
しかし、複数の立てパイプに嵌挿されたスライドパイプをいちいち引き上げてその先端部を天板の裏面に設けた係合部に差し込むため、この作業台は組み立て工程が作業現場での組み立てに不向きでる等の欠点がある。
【０００６】
このため、この発明は作業現場で簡単に組み立てることができる折り畳み、且つ高さ調整可能な作業台を提供することを目的とする。
【課題を解決するための手段】
【０００７】
以上の目的に適うものとして、この発明ではその先端を連結される左右一対の天板を有し、該天板の連結位置下方には対向状に基板を設け、該基板上には立てパイプを取り付け、該立てパイプには昇降可能に上パイプを嵌挿して支柱枠を形成し、該支柱枠の上端部とこれに対向する上記一対の天板の側部には上記一対の天板を折り畳み位置と水平位置に停止させる連結金具を設け、一方上記支柱枠を軸として左右に開閉する開閉脚枠の下枠フレームはその基端部を上記基板の左右に回動可能に枢着し、また上記開閉脚枠の上枠フレームはその基端部を上記支柱枠の上端部の左右に回動可能に枢着し、更に上記下枠フレームに取り付けられた立てパイプには上枠フレームの上パイプを昇降可能に嵌挿し、またそれぞれの上パイプ間は連結フレームで連結し、更には上記それぞれの上パイプのストッパーを設けた作業台作業台を提案するものでる。
【０００８】
この発明においては、折り畳み状態にある一方の天板を水平方向に開き、次にその開閉脚枠を反対方向に開き、連結フレームにより上パイプを引き上げ、上枠フレームの上端部を天板の裏面に設けられた係合部に係合させ、ストッパーにより上パイプを固定し、他方の天板についても同様に水平方向に開き、次にその開閉脚枠を反対方向に開き、連結フレームにより上パイプを引き上げ、上枠フレームの上端部を天板の裏面に設けられた係合部に係合させ、ストッパーにより上パイプを固定して作業台を組み立てる。
【発明の効果】
【０００９】
即ち、この発明においては連結フレーム,によりそれぞれの開閉脚枠の上パイプを同時に引き上げることができるので、堅牢な作業台を極めて簡単な操作で組み立てることができる。
【００１０】
なお、この発明においては連結フレームの昇降時の衝撃を和らげるために、上記連結フレームと下枠フレーム間に緩衝装置を介在させてもよい。
【００１１】
また、この発明においては連結金具として天板の側部に突設された第一ピンと第二ピン及び支柱枠の上端部に設けられ第一ピンを嵌挿するガイド孔と円弧状のガイド部と水平状の停止部を有する第二ピンのガイド溝で構成されたものを使用すれば、折り畳み位置にある左右の天板を極めて簡単な操作で確実に水平位置に固定できる。
【００１２】
更に、この発明においてストッパーとして上パイプには所定間隔で係止孔を形成し、立てパイプには挿通孔を設け、挿通孔の外周にはその先端に蓋部を有する筒体を設け、筒体内には蓋部に設けられた鍵穴より先端に把持部を有するロックピンを挿入し、ロックピンの外周にはガイド部材を設け、ガイド部材と上記蓋部の間には押しバネを介在させ、更に上記ロックピンの外周には突起を設け、上記鍵穴には上記突起の鍵溝を形成して構成されるものを使用すれば、極めて簡単な操作で昇降した上パイプを立てパイプに対して確実にロックすることができ、また極めて簡単な操作でそのロックを確実に解除することができる。
【発明を実施するための最良の形態】
【００１３】
その先端を連結される左右一対の天板を有し、該天板の連結位置下方には対向状に基板を設け、該基板上には立てパイプを取り付け、該立てパイプには昇降可能に上パイプを嵌挿して支柱枠を形成し、該支柱枠の上端部とこれに対向する上記一対の天板の側部には上記一対の天板を折り畳み位置と水平位置に停止させる連結金具を設け、一方上記支柱枠を軸として左右に開閉する開閉脚枠の下枠フレームはその基端部を上記基板の左右に回動可能に枢着し、また上記開閉脚枠の上枠フレームはその基端部を上記支柱枠の上端部の左右に回動可能に枢着し、更に上記下枠フレームに取り付けられた立てパイプには上枠フレームの上パイプを昇降可能に嵌挿し、またそれぞれの上パイプ間は連結フレームで連結し、更には上記それぞれの上パイプのストッパーを設け、上記連結フレームと下枠フレーム間に緩衝装置を介在させた作業台。
【実施例１】
【００１４】
以上、この発明を図示の実施例に基づいて詳細に説明すると、１，１はその先端を連結される左右一対の天板、２，２は天板１，１の連結位置下方には離間して設けられた下部にキャスター３を有する基板、基板２上には所定の間隔を置いて立てパイプ４，４を取り付け、立てパイプ４，４には昇降可能に上パイプ５，５を嵌挿して支柱枠６を形成し、支柱枠６の上端部７とこれに対向する天板１，１の側部８，８には天板１，１を折り畳み位置と水平位置に停止される連結金具９が設けられる。
【００１５】
連結金具９は、この実施例では側部８に突設された第一ピン10と第二ピン11及び上端部７に設けられ第一ピン10を嵌挿する長孔で構成されるガイド孔12と円弧状のガイド部13aと水平状の停止部13bを有する第二ピン11のガイド溝13から構成される。
【００１６】
連結金具９は天板１が折り畳み位置にあるときは、第一ピン10はガイド孔12の一端に位置し、第二ピン11はガイド溝13から外れた状態にあり、天板１が水平方向に回動すると、第一ピン10はガイド孔12の他端に移動し、第二ピン11はガイド部13aに導かれ、更に水平位置において天板１を押し込むと、第一ピン10はガイド孔12の他端に押し込まれ、第二ピン11は停止部13bに押し込まれ、天板１は水平位置に固定される。
【００１７】
一方、１４はその基端部を支柱枠６に回動可能に枢着することにより支柱枠６を軸として開閉する開閉脚枠で、開閉脚枠１４の下枠フレーム１５はその基端部を基板２に回動可能に枢着し、開閉脚枠１４の上枠フレーム１６はその基端部を支柱枠６の上端部７に回動可能に枢着し、更に下枠フレーム１５に取り付けられた立てパイプ１７には上枠フレーム１６の上パイプ１８を昇降可能に嵌挿し、また図３に示す実施例では下枠フレーム１５に取り付けられた立てパイプ１７，１７に上枠フレーム１６の上パイプ１８，１８を昇降可能に嵌挿し、更に開閉脚枠１４の下端部にはキャスター１９が設けられる。
【００１８】
また、開閉脚枠１４の立てパイプ４，・・・及び立てパイプ１７，・・・に昇降可能に嵌挿された上パイプ５，・・・及び上パイプ１８，・・・の下端部間には連結フレーム２０，・・・を設け、連結フレーム２０と下枠フレーム１５間には緩衝装置２１を介在させ、更に上パイプ５，・・・及び上パイプ１８，・・・のストッパー２２，・・・が設けられる。
【００１９】
一方、ストッパー22はこの実施例では上パイプ５及び上パイプ18には所定間隔で係止孔23,…を形成し、立てパイプ４及び立てパイプ17には挿通孔24を設け、挿通孔24の外周にはその先端に蓋部25を有する筒体26を設け、筒体26内には蓋部25に設けられた鍵穴27より先端に把持部28を有するロックピン29を挿入し、ロックピン29の外周にはガイド部材30を設け、ガイド部材30と蓋部25の間には押しバネ31を介在させ、更にロックピン29の外周には突起32を設け、鍵穴27には突起32の鍵溝33を形成して構成される。
【００２０】
ストッパー22の動作を説明すると、上パイプ５乃至上パイプ18を立てパイプ４乃至立てパイプ17に対して適当な高さに昇降させた後、ロックピン29を対応する係止孔23に押しバネ31の付勢により挿入するとともに、ロックピン29を90度回転して突起32を鍵溝33から外してロックピン29を戻り止めして上パイプ５乃至上パイプ18をロックする。
【００２１】
また、把持部28を手前に引き、ロックピン29を逆に90度回転して突起32を鍵溝33に挿入し、押しバネ31の付勢に抗してロックピン29が係止孔23、挿通孔24から脱出して上パイプ５乃至上パイプ18のロックが解除される。
【００２２】
次に、この発明に係わる作業台の組み立て工程の一例を説明すると、折り畳み状態にある左右の天板１，１のロック金具34,34のロックを解除して天板1,1を反対方向に開き、天板１，１を水平方向にロックする。
【００２３】
水平方向にロックされた右の天板１に対して右の開閉脚枠14,14を反対方向に開き、左の天板１についても左の開閉脚枠14,14を反対方向に開く。
【００２４】
次に、連結フレーム20により支柱枠６の上パイプ５及び上枠フレーム16の及び上パイプ18を引き上げ、上枠フレーム16の上端部35を天板１の裏面に設けられた係合部36に係合させ、ストッパー22により開閉脚枠14の上パイプ５及び上パイプ18を固定する。
【００２５】
なお、この実施例では上枠フレーム16の上パイプ18の内側には支桿37の基端部を枢着し、天板１の裏面には係止部38を設け、上述のように組み立てられた作業台に対して支桿37の先端部を係止部38に係止させて支持する。
【００２６】
即ち、この発明によれば連結フレーム20,により左右一側の支柱枠６の上パイプ５及び開閉脚枠14の上パイプ18を同時に引き上げることができるので、堅牢な作業台を極めて簡単な操作で組み立てることができる。
【００２７】
また、この発明では連結金具９を使用することにより、折り畳み位置にある左右の天板１，１を極めて簡単な操作で確実に水平位置に固定できる。
に固定される。
【００２８】
更に、この発明ではストッパー22を使用することにより、極めて簡単な操作で昇降した上パイプ５乃至上パイプ18を立てパイプ４乃至立てパイプ17に対して確実にロックすることができ、また極めて簡単な操作でそのロックを確実に解除することができる。
【産業上の利用可能性】
【００２９】
以上要するに、この発明によれば折り畳み、且つ高さ調整可能な作業台を極めて簡単な操作で確実に組み立てることができる。
【図面の簡単な説明】
【００３０】
【図１】この発明の一実施例を示す作業台の組み立て状態を示す側面図
【図２】同上の実施例における折り畳み状態の側面図
【図３】他の実施例における天板及び左右の開閉脚枠を開いた状態の側面図
【図４】同上の正面図
【図５】同上の実施例に使用する天板の平面図
【図６】同上の正面図
【図７】同上の側面図
【図８】同上の実施例に使用する連結金具部分の拡大図
【図９】同上の実施例に使用するストッパーのロック状態における側面図（ａ）及び正面図（ｂ）
【図１０】同上のストッパーにおけるロック解除状態における側面図（ａ）及び正面図（ｂ）
【符号の説明】
【００３１】
１，１はその先端を連結される左右一対の天板
２、２は基板
４，４は立てパイプ
５，５は上パイプ
６は支柱枠
７は上端部
８，８は側部
９は連結金具
14は開閉脚枠
15は下枠フレーム
16は上枠フレーム
17,17は立てパイプ
18,18は上パイプ
20,…は連結フレーム
21は緩衝装置
22,…はストッパー
【図１】
0004803801.tif 000002
【図２】
0004803801.tif 000003
【図３】
0004803801.tif 000004
【図４】
0004803801.tif 000005
【図５】
0004803801.tif 000006
【図６】
0004803801.tif 000007
【図７】
0004803801.tif 000008
【図８】
0004803801.tif 000009
【図９】
0004803801.tif 000010
【図１０】
0004803801.tif 000011